(57)【要約】      （修正有）【課題】ビルディングの屋根、一般家屋の屋根の建造、修理等の工事、その他一般的な建築・土木工事等の使用に適する足場板で、一般的な足場板として利用できると共にタラップの階段、梯子にも使用できる汎用性のある梯子を兼ねた足場板を提供する。【解決手段】相対向する一対の枠体１と、枠体１の上部に架設した板２本体と、板２本体の背面に対向しながら上記一対の枠体１間に任意の間隔をおいて架設した複数のステップ３とからなることを特徴とする。枠体１と板２本体を長手方向に沿って連設できる。【選択図】図１
2006348579.tif 000002
【特許請求の範囲】
【請求項１】
相対向する一対の枠体と、枠体の上部に架設した板本体と、板本体の背面に対向しながら上記一対の枠体間に任意の間隔をおいて架設した複数のステップとからなることを特徴とする階段と梯子を兼ねた足場板。
【請求項２】
枠体の両端部に相対向する一対の係止孔を形成し、当該係止孔に挿入した連結部材を介して枠体と板本体を長手方向に沿って連設させている請求項１に記載の階段と梯子を兼ね足場板．
【請求項３】
枠体の両端部に回転自在なブラケットを介してフックを設け、当該フックを水平なロッドに係合して枠体と足場板を長手方向に連設させている請求項１に記載の階段と梯子を兼ねた足場板。
【発明の詳細な説明】
【技術分野】
【０００１】
本発明は、ビルディングの屋根、一般家屋の屋根の建造、修理等の工事、その他一般的な建築・土木工事等の使用に適する階段と梯子を兼ねた足場板に関する。
【背景技術】
【０００２】
一般に、ビルディングや一般家屋等の屋根を建造、修理する場合には、この屋根が任意の角度の勾配を有していると、作業者が屋根面に沿って縦横に歩行するのが困難で作業姿勢も不安定となり、作業性が悪く、最悪の場合には作業者が転倒して地上に落下する危険がある。
【０００３】
そこで、特許文献１に示すように、屋根面の歩行中、作業中に作業者が転倒したり、地上に落下したりするのを防止し、安全な作業が行え、人身事故の発生を防止できる屋根工事用の足場が開発されている。
【０００４】
この屋根工事用の足場は、屋根面の勾配に合せて当該屋根面上に縦方向に配設した角度調整自在な剛性のタラップと、タラップの片側又は両側に起立させた角度調整自在な手摺と、タラップの側部に角度調整自在な足場板支持金具を介して水平方向に結合した足場板と、足場板の片側又は両側に起立させた手摺とからなり、上記タラップと足場板上に沿って作業者が歩行し、作業を行うようにしている。
【特許文献１】特開２００２-８９０３３号公報(図面，請求項１参照)
【発明の開示】
【発明が解決しようとする課題】
【０００５】
上記従来の足場は、機能上特に欠陥があるわけではないが、次のような不具合の改善が望まれている。
【０００６】
即ち、上記の屋根工事用の足場は、屋根面の勾配に沿うタラッブと、タラップの側部に設けた不平方向の足場板を備えているので、屋根の勾配に沿って作業者が歩行する時は階段、梯子としてタラップを使用し、屋根面を横方向に歩行する時は足場板を利用できる。
【０００７】
しかしながら、上記のように用途に応じて全く異なった構造のタラップと足場板を使用するため、部品点数が多くなり、設計コスト，加工コスト，材料費が嵩む不具合がある。
【０００８】
又、タラップや足場板を屋根上に設置したり、撤去したりする時両者の重量や大きさが異なる為、これを引き上げ、引き降す作業が面倒で、困難となり作業性，作業コストに不利となる。
【０００９】
更に、工事現場にタラップや足場板を輸送する場合、両者の構造，重量、大きさが異なる為に均一にそろえてトラック等に積むことが困難で、無理に積み込むと荷くずれが生じ危険でもある。
【００１０】
更に又、屋根工事の足場やその他の一般的な建築・土木工事の現場では枠組足場を設置する場合が多いが、上記のタラップや足場板はそのままこの枠組足場の足場板として利用できない不具合もある。
【００１１】
そこで、本発明の目的は一般的な足場板として利用できると共にタラップとしての階段，梯子にも使用できる汎用性のある階段と梯子を兼ねた足場板を提供することである。
【課題を解決するための手段】
【００１２】
上記の目的を達成するため、本発明の手段は、相対向する一対の枠体と、枠体の上部に架設した板本体と、板本体の背面に対向しながら上記一対の枠体間に任意の間隔をおいて架設した複数のステップとからなることを特徴とするものである。
【００１３】
この場合、枠体の両端部に相対向する一対の係止孔を形成し、当該係止孔に挿入した連結部材を介して枠体と板本体を長手方向に沿って連設させても良い。
【００１４】
同じく、枠体の両端部にフックを設け、当該フックを水平なロッドに係合して枠体と足場板を長手方向に連接させても良い。
【発明の効果】
【００１５】
本発明によれば、板本体と、板本体の背面側にステップを設けているので、板本体を上方に配置した場合には通常の足場板として利用でき、裏がえしにしてステップを上方に配置した場合には、階段、梯子として使用できる。
【００１６】
従って、足場板と梯子とを別々に加工する必要が無いから設計，コスト，加工コストを節約できる。又、トラック等で搬送したり、格納したりする場合には均一に積み込むことができ、荷くずれを防止でき、安全性が図れる。
【００１７】
更に、本発明の足場板は、屋根工事用のみならず、一般的な階段、梯子や足場板にも利用でき汎用性がある。
【発明を実施するための最良の形態】
【００１８】
以下、本発明の実施の形態を図に基づいて説明するが、本発明の階段と梯子を兼ねた足場板Ａは、図１乃至図３に示すように、相対向する一対の枠体１,１と、枠体１の上部に架設した板本体２と、板本体２の背面に対向しながら上記一対の枠体１，１間に任意の間隔をおいて架設した複数のステップ３とからなることを特徴とする。
【００１９】
この場合、枠体１，１の両端部に相対向する一対の係止孔４を形成し、当該係止孔４に挿入した図３に示す連結部材を介して枠体１と板本体２を長手方向に沿って連設させることができる。
【００２０】
更に、図５に示す他の実施の形態に示すように、枠体１の両端部に回転自在なブラケトＥを介してフック６を設け、当該フック６を水平なロッド（図示せず）に係合して枠体１と足場板２を長手方向に連設させても良い。
【００２１】
以下、更に詳しく説明すると、枠体１は、図２に示すように垂直板１ａと、この垂直板１ａの内側に一体に形成した上下二段の水平板１ｂ，１ｃとからなり、板２の両端部を上側水平板１ｂの上面に重ねて固定し、ステップ３の両端は、垂直板１ａの内周面に固定している。ちなみに、このステップ３は、下側の水平板１ｃ上に固定しても良い。
【００２２】
板２は、アルミニューム等の金属板，合板，エキスパンダメタル等の金網からなり、上面に滑り止めが施されているのが好ましい。
【００２３】
ステップ３は、表面に滑り止めを施した金属，木材，合成樹脂材で成形された円柱又は角柱からなり、足場板として使用する時は補強材として利用され、階段、梯子等に利用する時は作業者の足掛けとして使用される。
【００２４】
工事現場、例えば、屋根の建造，修理で使用される時、板２を上側に配置した時は作業者が歩行する足場板として使用され、裏がえしてステップ３を上側に配置した時は同じく作業者か昇降する段階，梯子として使用される。
【００２５】
例えば、図３に示すように、屋根工事の階段もしくは梯子として使用する場合は、板２を屋根面Ｂ上にフィットさせ、ステップ３を上方に配置する。
【００２６】
そして、足場板Ａを屋根面Ｂの勾配に沿って一つ又は複数列設させ、各足場板Ａの片側又は両側に手摺もしくは防護網ｅを起立させており、各足場板Ａの下方にも他の防護網Ｄを設け、上方から工具，建材又は作業者が転倒して滑り落ちたとき、これらを支えて地下に落下するのを防止するようにしている。
【００２７】
更に、足場板Ａは、枠体１や板２に滑り止めを施して屋根面Ｂからずれ落ちないようにしても良く、図３に示すように端部にワイヤ又はロープ９を結合して屋根の上方の保持部材に吊設させるようにしても良い。
【００２８】
足場板Ａは、単独でも使用できるが、工事現場の大きさ、例えば屋根面の面積に応じて単一の足場板Ａを図３に示すように、長手方向に連結しても良く、この場合、図１に示すように、枠体１の両側に係止孔４，４を相対向して結合し、この係止孔４に挿入した連結部材５を利用して隣接する二つの足場Ａ，Ａを結合するのが好ましい。
【００２９】
連結部材５は、例えば、図４に示すように、手摺取付ブラケット１０とこの手摺取付ブラケット１０に一体に連結した二本のロッド１２，１２と、手摺取付ブラケット１０と反対側に設けた止め具１６とからなるものである。
【００３０】
手摺取付ブラケット１０は、図４において、左右一対の引掛片１７，１７と、前側に延びる上下一対の支持片１８，１８と、支持片１８，１８に起立させたソケット１１と、後方に延びる一対のロッド１２，１２とからなっている。
【００３１】
止め具１６は、左右一対の引掛片１９，１９と、後方に延びる止め片２０とからなっている。
【００３２】
ロッド１２，１２は、隣接する足場板Ａ，Ａの係止孔４，４に一本づつ挿入して隣接する枠体１，１同士を結合し、更に、このロッド１２，１２は、止め具１６における引掛片１９，１９の孔を貫通し、ロッド１２，１２に設けたロックピン２３，２３を止め具２０の孔２１に差し込むことによりロッド１２，１２が抜けないようにしている。
【００３３】
このようにして足場板値Ａ，Ａを長手方向に結合した後、ソケット１１に手摺又は防護網Ｃの縦支柱７を挿入し、金網８を足場板Ａの片側又は両側に起立させる。
【００３４】
足場板Ａにワイヤ又はロープ９を結合する場合は上端の足場板Ａの係止孔４に一方のロッド１２を差し込み、上方に向いている一方の引掛片１７の孔２２に上記のワイヤ又はロープ９を挿入して結合すれば良い。
【００３５】
図５および図６は、本発明の他の実施の形態に係る足場板Ａを示すが、この足場板Ａは、枠体１の両端部に軸３１を介してブラケットＥを回転自在に取り付け、このブラケットＥに一対のフック６を取付けたものである。
【００３６】
又ブラケットＥは、板２の端部に着脱自在に差し込んだピン３２等の止め具で使用時に回転するのを防止させている。その他の構造、作用，効果は、図１の足場板Ａと同じである。
【００３７】
この足場板Ａは、枠組足場の足場板として使用するのに適し、併せて階段、梯子としても使用できるものである。
【００３８】
枠組足場は、公知のように縦材と横材とからなる縦枠を横方向に複数列設し、隣接する建枠間に横材を介して足場板を架設するものである。
【００３９】
従って、上記図５の実施の形態の足場板Ａは、フック６を建枠における横材たる水平なロッドに引掛けて足場板として使用する。
【００４０】
そして、ブラケットＥを回転して、いいかえれば相対的に板２を回転してステップ３を上向きにした場合は階段、梯子として使用する。
【００４１】
即ち、図５に示すように、通常板２を上方に配置した時は足場板として利用され、この時フック６を横材に引掛ける。
【００４２】
他方、図６に示すように、ピン３２を抜き取り、軸３１を中心にブラケットＥを矢印のように１８０度回転して板２側を裏がえしにするとステップ３が上方に配置され、この場合は、一般的な作業現場における階段，梯子としても利用される。
【００４３】
この時、フック６は、図５と同じ姿勢を保ち、工事現場の上下に設けた他の引掛部材に引掛けられて全体がずれ落ちないようにすることが出来る。
【図面の簡単な説明】
【００４４】
【図１】(Ａ)  本発明の一実施の形態に係る足場板の平面図である。
【００４５】
(Ｂ)  同じく正面図である。
【図２】図１のＸ―Ｘ線一部縦断拡大側面図である。
【図３】屋根工事に使用している状態の足場板の斜視図である。
【図４】(Ａ)  連結部材における止め具の平面図である。
【００４６】
(Ｂ)  同じく手摺取付ブラケットの平面図である。
【００４７】
(Ｃ)  同じく手摺取付ブラケットの正面図である。
【図５】(Ａ)  他の実施の形態に係る足場板の平面図である。
【００４８】
(Ｂ)  同じく正面図である。
【図６】ブラケットを回転した状態の拡大側面図である。
【符号の説明】
【００４９】
１  枠体
２  板
３  ステップ
４  係止孔
５  連結部材
６  フック
Ａ  足場板
Ｂ  屋根面
Ｃ，Ｄ  防護網
Ｅ  ブラケット
【図１】
2006348579.tif 000003
【図２】
2006348579.tif 000004
【図３】
2006348579.tif 000005
【図４】
2006348579.tif 000006
【図５】
2006348579.tif 000007
【図６】
2006348579.tif 000008